(57)【要約】【課題】設定表示部ＳＨと制御部Ｈとの間を接続するために、多極のコネクタ、および、多数の信号線を必要とせず、材料費や製造工数の上昇が抑制され、製造コストが低減された加熱調理器を提供する。【解決手段】制御部Ｈに備える直流定電流回路ＴＤから設定操作部に、２線式の信号線（Ｃ１、Ｃ２）によって電流供給され、加熱力表示部が、所定値の直流電流を通電したときに所定の電圧降下を生じる発光素子を複数直列に配設した発光素子直列体（ＬＥＤ１〜ＬＥＤ５）によって構成され、加熱力設定部が、発光素子直列体（ＬＥＤ１〜ＬＥＤ５）に含まれる発光素子を手動にて短絡するスイッチを複数含むスイッチ群（Ｓ１〜Ｓ５）によって構成され、スイッチ群（Ｓ１〜Ｓ５）の操作に応じて信号線（Ｃ１、Ｃ２）の両端に生じる電圧が、加熱力設定信号（ＳＥ）として制御部Ｈに入力される。【選択図】図４
2019132444.tif 000002
【特許請求の範囲】
【請求項１】
加熱部と、この加熱部の加熱力を手動にて設定する加熱力設定部と、この加熱力設定部で設定された加熱力を表示する加熱力表示部と、
前記加熱力設定部と前記加熱力表示部とを含む設定表示部と、
前記加熱力設定部からの加熱力設定信号に応じて、前記加熱部の加熱力を前記設定加熱力に制御する制御部と、を備えた加熱調理器であって、
前記制御部に備える直流定電流回路から前記設定操作部に、２線式の信号線によって電流供給され、
前記加熱力表示部が、所定値の直流電流を通電したときに所定の電圧降下を生じる発光素子を複数直列に配設した発光素子直列体によって構成され、
前記加熱力設定部が、前記発光素子直列体に含まれる前記発光素子を手動にて短絡するスイッチを複数含むスイッチ群によって構成され、
前記スイッチ群の操作に応じて前記信号線の両端に生じる電圧が、前記加熱力設定信号として前記制御部に入力されることを特徴とする加熱調理器。
【請求項２】
前記制御部が、前記２線式の信号線に供給される電流の極性を、一の極性とこの一の極性の逆極性とに切り換える極性切換手段を備え、
前記設定表示部が、前記加熱部による加熱中であることを表示する加熱状態表示部を備え、
前記２線式の信号線に供給される電流の極性が前記一の極性或いは前記逆極性のいずれか一方の極性のみにおいて前記加熱状態表示部を表示させる、表示切り換え部を備えることを特徴とする請求項１に記載の加熱調理器。
【請求項３】
前記発光素子がＬＥＤであり、前記スイッチ群がロータリースイッチにより構成されることを特徴とする請求項１または請求項２に記載の加熱調理器。
【発明の詳細な説明】
【技術分野】
【０００１】
本発明は、加熱部と、この加熱部の加熱力を手動にて設定する加熱力設定部と、この加熱力設定部で設定された加熱力を表示する加熱力表示部と、前記加熱力設定部と前記加熱力表示部とを含む設定表示部と前記加熱力設定部からの加熱力設定信号に応じて、前記加熱部の加熱力を前記設定加熱力に制御する制御部とを備えた加熱調理器に関する。
【背景技術】
【０００２】
加熱状態調節部、および、燃焼表示ランプを備えた加熱調理器が知られている（例えば、特許文献１）。
このような加熱調理器では、加熱状態調節部の周囲に燃焼表示ランプが複数配設されて、加熱状態（火力）を表示する表示部を構成することが多い。
そして、このような加熱調理器では、加熱状態調節部による設定状態が制御部に入力されて、加熱状態（火力）を表示する表示部による表示が制御部によって行われることになる。
【先行技術文献】
【特許文献】
【０００３】
【特許文献１】特開２０１７−００３１５６号公報
【発明の概要】
【発明が解決しようとする課題】
【０００４】
しかし、従来の加熱調理器では、加熱状態調節部による設定状態を制御部に入力するための、設定状態入力用信号線、および、複数配設された表示ランプの夫々を制御部が表示するための表示用信号線が必要であり、多数の信号線が必要である。
【０００５】
したがって、加熱状態調節部、および、複数配設された表示ランプが配置される設定表示部と制御部との間が、多数の信号線によって接続されることになる。
そして、設定表示部と制御部との間を多数の信号線によって接続するためには、一般的に多極のコネクタが必要となる。
【０００６】
このように、特許文献１に記載されるような従来の加熱調理器では、設定表示部と制御部との間が、多極のコネクタを用いて多数の信号線によって接続されるため、多極のコネクタ、および、多数の信号線の材料費や製造工数の上昇を伴うことになり、この点に関し、改善の余地がある。
【０００７】
本発明は、上記課題を解決するために成されたものであり、その目的は、設定表示部と制御部との間を接続するために、多極のコネクタ、および、多数の信号線を必要とせず、材料費や製造工数の上昇が抑制され、製造コストが低減された加熱調理器を提供する点にある。
【課題を解決するための手段】
【０００８】
上記課題を解決するために、本願発明による加熱調理器は、加熱部と、この加熱部の加熱力を手動にて設定する加熱力設定部と、この加熱力設定部で設定された加熱力を表示する加熱力表示部と、前記加熱力設定部と前記加熱力表示部とを含む設定表示部と、前記加熱力設定部からの加熱力設定信号に応じて、前記加熱部の加熱力を前記設定加熱力に制御する制御部と、を備えた加熱調理器であって、前記制御部に備える直流定電流回路から前記設定操作部に、２線式の信号線によって電流供給され、前記加熱力表示部が、所定値の直流電流を通電したときに所定の電圧降下を生じる発光素子を複数直列に配設した発光素子直列体によって構成され、前記加熱力設定部が、前記発光素子直列体に含まれる前記発光素子を手動にて短絡するスイッチを複数含むスイッチ群によって構成され、前記スイッチ群の操作に応じて前記信号線の両端に生じる電圧が、前記加熱力設定信号として前記制御部に入力されることを特徴とする。
【０００９】
本願発明による加熱調理器は、上記のように構成されるので、設定表示部と制御部との間を接続するために、多極のコネクタ、および、多数の信号線を必要とせず、材料費や製造工数の上昇が抑制され、製造コストが低減された加熱調理器とすることができる。
【００１０】
つまり、本願発明による加熱調理器は、上記のように構成され、制御部と設定表示部とが、２線式の信号線によって接続されるので、設定表示部と制御部との間を接続するために、２極のコネクタ、および、２本の信号線を必要とするのみであり、材料費や製造工数の上昇が抑制され、製造コストが低減された加熱調理器とすることができるのである。
【００１１】
また、加熱調理器を構成するに当たり、前記制御部が、前記２線式の信号線に供給される電流の極性を、一の極性とこの一の極性の逆極性とに切り換える極性切換手段を備え、前記設定表示部が、前記加熱部による加熱中であることを表示する加熱状態表示部を備え、前記２線式の信号線に供給される電流の極性が前記一の極性或いは前記逆極性のいずれか一方の極性のみにおいて前記加熱状態表示部を表示させる、表示切り換え部を備えることが好ましい。
【００１２】
このように構成した場合、加熱状態表示部を表示させるための信号線を別途必要とせず、材料費や製造工数の上昇が抑制され、製造コストが低減された加熱調理器とすることができる。
【００１３】
また、前記発光素子がＬＥＤであり、前記スイッチ群がロータリースイッチにより構成されることが好ましい。
【００１４】
このように、発光素子をＬＥＤとし、スイッチ群をロータリースイッチとすることで請求項１または請求項２の加熱調理器が簡単に構成できる。
【００１５】
特に、スイッチ群をロータリースイッチとすることで、スイッチ群を駆動するために特段の制御回路や、電源を必要としないので、請求項１または請求項２の加熱調理器が簡単に構成でるのである。
【発明の効果】
【００１６】
本発明によって、設定表示部と制御部との間を接続するために、多極のコネクタ、および、多数の信号線を必要とせず、材料費や製造工数の上昇が抑制され、製造コストが低減された加熱調理器とすることができる。
【００１７】
また、加熱状態表示部を表示させるための信号線を別途必要とせず、材料費や製造工数の上昇が抑制され、製造コストが低減された加熱調理器とすることができる。
また、発光素子をＬＥＤとし、スイッチ群をロータリースイッチとすることで請求項１または請求項２の加熱調理器が簡単に構成できる。
【図面の簡単な説明】
【００１８】
【図１】本発明の一実施形態（実施形態１）にかかるグリル付きガスコンロの外観構成を示す図である。
【図２】（ａ），（ｂ），（ｃ）は、本発明の実施形態にかかるグリル付きガスコンロのバーナ操作部の操作方法を示す図である。
【図３】（ａ），（ｂ），（ｃ）は、本発明の実施形態にかかるグリル付きガスコンロのバーナ操作部の操作方法を示す図である。
【図４】本発明の一実施形態（実施形態１）にかかるグリル付きガスコンロに備える制御部と設定操作部とを示す図である。
【図５】本発明の別実施形態（実施形態２）にかかるグリル付きガスコンロに備える制御部と設定操作部とを示す図である。
【発明を実施するための形態】
【００１９】
以下、本発明を添付図面に示す実施形態に基づいて説明する。
【００２０】
以下、本発明の実施形態を示して、その特徴とするところをさらに詳しく説明する。
＜加熱調理器の基本構造＞
図１は本発明の実施形態にかかる加熱調理器（グリル付きガスコンロ）の外観構成を示す図である。
【００２１】
このグリル付きガスコンロは、図１に示すように、標準バーナ１ａ、高火力バーナ１ｂ、および小バーナ１ｃの３つのコンロバーナ（加熱部）を備えており、トッププレートの上部に、標準バーナ１ａ、高火力バーナ１ｂ、および小バーナ１ｃに対する鍋などの被加熱物（調理物）を受け止め、支持するための五徳５１が載置されている。
【００２２】
そして、標準バーナ１ａには、被加熱物（例えば、調理容器である鍋の底）に接触してその温度を検出するためのサーミスタからなる温度センサ（鍋底温度センサ）９が，標準バーナ１ａの中央を貫通するように配設されている。
なお、この温度センサ９を備えた標準バーナ１ａにより、炊飯、湯沸かし、揚げものなどの温調調理を行うことが可能である。
【００２３】
また、グリル部４は、前面部が開口した箱状に形成されたグリル庫内に、魚などの被調理物を載置するための載置部として機能する焼き網を設けて構成されている。また、グリル庫内には、加熱部として、１つの上側バーナ（図示せず）と２つの下側バーナ（図示せず）が配設されている。
【００２４】
さらに、グリル付きガスコンロの前面（前側面）には、上述のコンロバーナとグリルバーナの点火および消火、火力調節と各種の設定とを指令する手動操作部３４（図１）が設けられている。
【００２５】
また、このグリル付きガスコンロは、各種の制御を実行するように構成された制御部Ｈ（制御手段）（図４）を備えている。制御部Ｈ（制御手段）は、手動操作部３４にて指令された指令情報に基づいて、コンロバーナおよびグリルバーナの燃焼状態などを制御するように構成されている。
【００２６】
また、グリル付きガスコンロの前面には、自動復帰型の押し操作式の電源スイッチ２４が設けられている。
【００２７】
上記手動操作部３４は、図１〜図３に示すように、コンロバーナ（標準バーナ１ａ、高火力バーナ１ｂ、小バーナ１ｃ）の夫々に対して各別に点火・消火や火力調節を指令するための３つの加熱状態調節部２１（２１ａ，２１ｂ，２１ｃ）、標準バーナ１ａの温調機能（湯沸かし、揚げ物、炊飯）とタイマ機能についての操作および表示を行う標準バーナ用の付加機能操作・表示部３２、グリルバーナ（特に図示しない上側バーナと下側バーナ）の火力調節などを行うグリルバーナ操作部２２、グリルバーナの作動状態の切り換えを指令するグリル用の付加機能操作・表示部３３などを備えている。
【００２８】
なお、調理器本体１０の前面右上に配置された電源スイッチ２４をＯＮにして電源ランプ２５が点灯した後に、図２（ａ）に示すように、上記標準バーナ操作部２１ａ、高火力バーナ操作部２１ｂ、および小バーナ操作部２１ｃを押し込み操作することにより、標準バーナ１ａ、高火力バーナ１ｂ、および小バーナ１ｃが点火するとともに、図２（ｂ）に示すように、各バーナ操作部２１ａ，２１ｂ，２１ｃが内部から飛び出して、火力調節を行うことができるように構成されている。
【００２９】
そして、調節された火力は、火力調節ランプ２３（図２、図３）の点灯にて表示されるように構成されている。
【００３０】
このように、このグリル付きガスコンロは、コンロバーナ（標準バーナ１ａ、高火力バーナ１ｂ、小バーナ１ｃ）の加熱力を設定する加熱力設定部と設定されたコンロバーナ（標準バーナ１ａ、高火力バーナ１ｂ、小バーナ１ｃ）の加熱力を表示する加熱力表示部とを含む設定表示部ＳＨとを備えている。
【００３１】
なお、各バーナ１ａ，１ｂ，１ｃに点火した場合には、燃焼表示ランプＬＥＤ６（図４）が点灯して、点火を確認することができるように構成されている。
【００３２】
また、図３（ａ）に示すように、各バーナ操作部２１ａ，２１ｂ，２１ｃを再度押し込むことにより、各バーナ１ａ，１ｂ，１ｃの消火動作が実行されるとともに、図３（ｂ）に示すように、各バーナ操作部２１ａ，２１ｂ，２１ｃが調理器本体１０の内部に収納されるように構成されている。
【００３３】
なお、各バーナ１ａ，１ｂ，１ｃの消火動作が終わった場合には、図３（ｃ）に示すように、火力調節ランプ２３が消灯して、消火を確認することができるように構成されている。
【００３４】
さらに、グリルバーナ操作部２２についても、同様に、グリルバーナ操作部２２を再度押し込むことにより、消火動作が実行されるとともに、グリルバーナ操作部２２が調理器本体１０の内部に収納されるように構成されている。
【００３５】
＜特徴的構成＞
次に、本発明の実施形態にかかる加熱調理器（グリル付きガスコンロ）の特徴的な構成について説明する。
【００３６】
＜実施形態１＞
火力調節ランプ２３はＬＥＤ（発光ダイオード）により構成されており、制御部Ｈに備える直流定電流回路ＴＤ（図４）から、手動操作部３４（設定操作部）に備える火力調節ランプ２３を構成するＬＥＤ１〜ＬＥＤ５には、２線式の信号線（Ｃ１、Ｃ２）によって電流供給されている。（図４参照。）
なお、本実施形態では、直流定電流回路ＴＤから５ｍＡの直流の定電流が供給されている。
因みに、図４において、Ｂは、制御部Ｈの電源となる直流電源である。
【００３７】
加熱力表示部（ＬＥＤ１〜ＬＥＤ５）は、所定値（本実施形態では、５ｍＡ）の直流電流を通電したときに所定（本実施形態では、２Ｖ）の電圧降下を生じる発光素子としてのＬＥＤ（発光ダイオード）を複数（本実施形態では５個）直列に配設した発光素子直列体によって構成されている。（図４参照。）
【００３８】
加熱力設定部は、発光素子直列体に含まれる発光素子（ＬＥＤ１〜ＬＥＤ５）を手動にて短絡するスイッチを複数含むスイッチ群（Ｓ１〜Ｓ５）によって構成されている。（図４参照。）
【００３９】
実施形態１では、Ｓ１、Ｓ２、Ｓ３、Ｓ４をＯＮ（短絡）させ、Ｓ５をＯＦＦ（開放）することで、コンロバーナ（標準バーナ１ａ、高火力バーナ１ｂ、小バーナ１ｃ）の火力が火力１（最小火力）に設定され、ＬＥＤ１、ＬＥＤ２、ＬＥＤ３、ＬＥＤ４は消灯し、ＬＥＤ５のみが点灯する。
【００４０】
なお、実施形態１のグリル付きガスコンロは、後述する加熱状態表示部ＬＥＤ６、および、加熱状態表示部ＬＥＤ６を表示させる、表示切り換え部ＨＫ（Ｄ１、Ｄ２、Ｄ３、Ｄ４により構成される。）を備えるものであるが、説明を簡便にするため、発光素子（ＬＥＤ１〜ＬＥＤ５）による電圧降下について説明する。
【００４１】
ＬＥＤ５のみが点灯した火力１（最小火力）のとき、発光素子（ＬＥＤ１〜ＬＥＤ５）による電圧降下は、略２Ｖとなる。
【００４２】
また、Ｓ１、Ｓ２、Ｓ３をＯＮ（短絡）させ、Ｓ４、Ｓ５をＯＦＦ（開放）することで、コンロバーナ（標準バーナ１ａ、高火力バーナ１ｂ、小バーナ１ｃ）の火力が火力２に設定され、ＬＥＤ１、ＬＥＤ２、ＬＥＤ３は消灯し、ＬＥＤ４、ＬＥＤ５のみが点灯する。
【００４３】
そして、ＬＥＤ４、ＬＥＤ５のみが点灯した火力２のとき、発光素子（ＬＥＤ１〜ＬＥＤ５）による電圧降下は、略４Ｖとなる。
【００４４】
また、Ｓ１、Ｓ２をＯＮ（短絡）させ、Ｓ３、Ｓ４、Ｓ５をＯＦＦ（開放）することで、コンロバーナ（標準バーナ１ａ、高火力バーナ１ｂ、小バーナ１ｃ）の火力が火力３に設定され、ＬＥＤ１、ＬＥＤ２は消灯し、ＬＥＤ３、ＬＥＤ４、ＬＥＤ５のみが点灯する。
【００４５】
そして、ＬＥＤ３、ＬＥＤ４、ＬＥＤ５のみが点灯した火力３のとき、発光素子（ＬＥＤ１〜ＬＥＤ５）による電圧降下は、略６Ｖとなる。
【００４６】
また、Ｓ１をＯＮ（短絡）させ、Ｓ２、Ｓ３、Ｓ４、Ｓ５をＯＦＦ（開放）することで、コンロバーナ（標準バーナ１ａ、高火力バーナ１ｂ、小バーナ１ｃ）の火力が火力４に設定され、ＬＥＤ１は消灯し、ＬＥＤ２、ＬＥＤ３、ＬＥＤ４、ＬＥＤ５が点灯する。
【００４７】
そして、ＬＥＤ２、ＬＥＤ３、ＬＥＤ４、ＬＥＤ５が点灯した火力４のとき、発光素子（ＬＥＤ１〜ＬＥＤ５）による電圧降下は、略８Ｖとなる。
【００４８】
また、Ｓ１、Ｓ２、Ｓ３、Ｓ４、Ｓ５をＯＦＦ（開放）することで、コンロバーナ（標準バーナ１ａ、高火力バーナ１ｂ、小バーナ１ｃ）の火力が火力５（最大火力）に設定され、ＬＥＤ１、ＬＥＤ２、ＬＥＤ３、ＬＥＤ４、ＬＥＤ５が点灯する。
【００４９】
そして、ＬＥＤ１、ＬＥＤ２、ＬＥＤ３、ＬＥＤ４、ＬＥＤ５が点灯した火力５（最大火力）のとき、発光素子（ＬＥＤ１〜ＬＥＤ５）による電圧降下は、略１０Ｖとなる。
【００５０】
図４に示すように、スイッチ群（Ｓ１〜Ｓ５）の操作に応じて信号線（Ｃ１、Ｃ２）の両端に生じる電圧が、加熱力設定信号ＳＥとして制御部Ｈに備えるＣＰＵに入力されるように構成されている。
【００５１】
上述のように、スイッチ群（Ｓ１〜Ｓ５）の操作に応じて、発光素子（ＬＥＤ１〜ＬＥＤ５）による電圧降下が変化するため、スイッチ群（Ｓ１〜Ｓ５）の操作に応じて、加熱力設定信号ＳＥ（図４）の電圧が変化する。
【００５２】
したがって、ＣＰＵに加熱力設定信号ＳＥが入力されることで、制御部は、発光素子（ＬＥＤ１〜ＬＥＤ５）のうち何個のＬＥＤがスイッチ（Ｓ１〜Ｓ５）によって短絡されているかが判断できることになる。
【００５３】
本実施形態のグリル付きガスコンロでは、ＣＰＵに加熱力設定信号ＳＥが入力されて、制御部Ｈは、発光素子（ＬＥＤ１〜ＬＥＤ５）のうち何個のＬＥＤがスイッチ（Ｓ１〜Ｓ５）によって短絡されているかが判断し、加熱力設定信号ＳＥ応じてコンロバーナ（標準バーナ１ａ、高火力バーナ１ｂ、小バーナ１ｃ）の加熱力を調整するように構成されている。
【００５４】
グリル付きガスコンロは、このように構成されており、設定表示部ＳＨと制御部Ｈとの間を接続するために、多極のコネクタ、および、多数の信号線を必要とせず、材料費や製造工数の上昇が抑制され、製造コストが低減された加熱調理器（グリル付きガスコンロ）とすることができている。
【００５５】
なお、実施形態１のグリル付きガスコンロでは、制御部Ｈが、２線式の信号線（Ｃ１、Ｃ２）に供給される電流の極性を、一の極性（例えば、Ｃ１が正で、Ｃ２が負）とこの一の極性の逆極性（例えば、Ｃ１が負で、Ｃ２が正）とに切り換える極性切換手段ＫＳを備える。（図４参照。）
【００５６】
そして、設定表示部ＳＨが、コンロバーナ（標準バーナ１ａ、高火力バーナ１ｂ、小バーナ１ｃ）（加熱部）による加熱中であることを表示する加熱状態表示部ＬＥＤ６を備える。（図４参照。）
【００５７】
そして、２線式の信号線（Ｃ１、Ｃ２）に供給される電流の極性が一の極性（例えば、Ｃ１が正で、Ｃ２が負）或いは逆極性（例えば、Ｃ１が負で、Ｃ２が正）のいずれか一方の極性のみにおいて加熱状態表示部ＬＥＤ６を表示させる、表示切り換え部ＨＫ（Ｄ１、Ｄ２、Ｄ３、Ｄ４により構成される。）を備える。
【００５８】
なお、実施形態１では、２線式の信号線（Ｃ１、Ｃ２）に供給される電流の極性が一の極性（例えば、Ｃ１が正で、Ｃ２が負）のとき、加熱状態表示部ＬＥＤ６を表示させ、２線式の信号線（Ｃ１、Ｃ２）に供給される電流の極性が逆極性（例えば、Ｃ１が負で、Ｃ２が正）のときには、加熱状態表示部ＬＥＤ６を表示させないように構成されている。
【００５９】
実施形態１では、このように、加熱状態表示部ＬＥＤ６を表示させるための信号線を別途必要とせず、材料費や製造工数の上昇が抑制され、製造コストが低減された加熱調理器とすることができている。
【００６０】
また、実施形態１では、火力調節ランプ２３を構成する発光素子（ＬＥＤ１〜ＬＥＤ５）がＬＥＤであり、スイッチ群（Ｓ１〜Ｓ５）がロータリースイッチにより構成されている。
【００６１】
このように、火力調節ランプ２３を構成する発光素子（ＬＥＤ１〜ＬＥＤ５）をＬＥＤとし、スイッチ群（Ｓ１〜Ｓ５）をロータリースイッチとすること本願による加熱調理器が簡単に構成できている。
【００６２】
特に、スイッチ群（Ｓ１〜Ｓ５）をロータリースイッチとすることで、スイッチ群（Ｓ１〜Ｓ５）を駆動するために特段の制御回路や、電源を必要としないので、本願による加熱調理器が簡単に構成できている。
【００６３】
＜別実施形態＞
実施形態１では、スイッチ群が、ＬＥＤ１を短絡するＳ１、ＬＥＤ２を短絡するＳ２、ＬＥＤ３を短絡するＳ３、ＬＥＤ４を短絡するＳ４、ＬＥＤ５を短絡するＳ５により構成されるものであるが、図５に示す実施形態２のように、ＬＥＤ５を短絡するＳ５、ＬＥＤ４およびＬＥＤ５を短絡するＳ４、ＬＥＤ３およびＬＥＤ４およびＬＥＤ５を短絡するＳ３、ＬＥＤ２およびＬＥＤ３およびＬＥＤ４およびＬＥＤ５を短絡するＳ２、ＬＥＤ１およびＬＥＤ２およびＬＥＤ３およびＬＥＤ４およびＬＥＤ５を短絡するＳ１により構成してもよい。
【００６４】
また、スイッチ群（Ｓ１〜Ｓ５）を、ロータリースイッチのような機械式のスイッチにより構成するのではなく、半導体式のスイッチにより構成してもよい。
【００６５】
発明は、上記実施形態に限定されるものではなく、本発明の範囲内において種々の変形を加えることが可能である。
【符号の説明】
【００６６】
１０    調理器本体
１ａ    標準バーナ
１ｂ    高火力バーナ
１ｃ    小バーナ
２１    加熱状態調節部
２２    グリルバーナ操作部
２３    火力調節ランプ
２４    電源スイッチ
２５    電源ランプ
３２    付加機能操作・表示部
３３    グリル用の付加機能操作・表示部
３４    手動操作部
４    グリル部
５１    五徳
９    温度センサ（鍋底温度センサ）
Ｂ    制御部Ｈの電源となる直流電源
Ｃ１    信号線
Ｃ２    信号線
Ｄ１    ダイオード
Ｄ２    ダイオード
Ｄ３    ダイオード
Ｄ４    ダイオード
ＬＥＤ１    加熱力表示部（発光素子）
ＬＥＤ２    加熱力表示部（発光素子）
ＬＥＤ３    加熱力表示部（発光素子）
ＬＥＤ４    加熱力表示部（発光素子）
ＬＥＤ５    加熱力表示部（発光素子）
ＬＥＤ６    加熱状態表示部（燃焼表示ランプ）
Ｈ    制御部
ＨＫ  表示切り換え部
Ｓ１    スイッチ群を構成するスイッチ
Ｓ２    スイッチ群を構成するスイッチ
Ｓ３    スイッチ群を構成するスイッチ
Ｓ４    スイッチ群を構成するスイッチ
Ｓ５    スイッチ群を構成するスイッチ
ＳＨ    設定表示部
ＴＤ    直流定電流回路
【図１】
2019132444.tif 000003
【図２】
2019132444.tif 000004
【図３】
2019132444.tif 000005
【図４】
2019132444.tif 000006
【図５】
2019132444.tif 000007